(57)【要約】  【課題】本発明は電気的な警報装置を備えることなく、扉錠などの施錠忘れを防止する。  【解決手段】  鍵１３を挿入して回転させることにより回転軸を扉の開位置および閉位置の間で回転させることができ扉閉位置でのみ鍵１３を挿抜できる錠６と、回転軸に連動して扉の開位置および扉の閉位置の間で回転するカム７と、第１の位置および第２の位置の間で揺動し、扉４が閉じたときは扉突起４−２に当接して第１の位置に移動し、扉４が開いたときは第２の位置に移動する揺動片９とを備え、揺動片９が第１の位置にあるときは揺動突起９−１と突起７−１とは当接せず、揺動片９が第２の位置にあるときは揺動突起９−１と突起７−１とが当接することによりカム７の回転が抑止され錠６の回転が扉開位置で拘束される構成とした。【選択図】  図１
2006125184.tif 000002
【特許請求の範囲】
【請求項１】
裏面に設けられた扉突起を備えた扉と、
前記扉が設置される開口部を設けたパネルと、
前記パネルに設けられ、回転軸を有し、鍵を挿入して回転させることにより前記回転軸を扉の開位置および扉の閉位置の間で回転させることができ、扉の閉位置でのみ前記鍵を挿抜できる錠と、
前記錠の回転軸に設けられ前記回転軸に連動して扉の開位置および扉の閉位置の間で回転するカムと、
揺動突起を有し、第１の位置および第２の位置の間で揺動し、前記扉が閉じたときは前記扉突起に当接して前記第１の位置に移動し、前記扉が開いたときは前記第２の位置に移動する揺動片とを備え、
前記揺動片が前記第１の位置にあるときは前記揺動突起と前記カムに設けられた突起とは当接せず、前記揺動片が前記第２の位置にあるときは前記揺動突起と前記突起とが当接することにより前記カムの回転が抑止され前記錠の回転が扉の開位置で拘束される錠付扉装置。
【請求項２】
前記扉は裏面に設けられたロック爪を備え、
前記ロック爪に係合する爪受けを有し、前記カムに当接して前記カムが前記扉開位置に回転することによりカムに押されて移動する移動片を備え、
前記錠を扉の開位置にすると前記カムが前記移動片を移動させて前記爪受けと前記ロック爪との係止が外れて前記扉が開き、前記扉の扉突起が後退して揺動片および揺動突起は第２の位置に移動し、前記揺動突起に前記カムの突起が当接して前記カムの回転が抑止され、
前記扉を閉めると前記扉突起が前記揺動片を押して前記揺動片および前記揺動突起は第１の位置に移動し、前記揺動突起と前記カムの突起との係止が外れ、前記錠が扉の閉位置に回転する、請求項１記載の錠付扉装置。
【発明の詳細な説明】
【技術分野】
【０００１】
本発明は、扉錠などの施錠忘れを防止する錠付扉装置に関する。
【背景技術】
【０００２】
従来の錠付扉装置は、鍵のかけ忘れや抜き忘れ、扉の閉め忘れを電気的手段で解決している（たとえば、特開２００３−７４２２７号公報参照）。図６（ａ），（ｂ）は、従来の錠付扉装置の構成を示す。鍵がかかった状態では、図６（ｂ）のように閂杆２６が右方向に位置している。このとき作動杆２０およびこれと一体に形成されたストッパー片２８は、閂杆２６に遮られているため上方向にスライドしない。扉（不図示）をあけるためのハンドルは、ストッパー片２８と連動しているため、この状態では扉を開けることはできない。扉の外側から鍵をシリンダ錠（不図示）に挿入して回転させると、図６（ａ）のように閂杆２６が左方向に移動する。すると作動杆２０およびストッパー片２８がスライド自在となるため、ハンドルを回すことができ、扉をあけることができる。そして、閂杆２６が左方向に移動すると、閂杆２６に設けたピン４２が第一センサー３７の接触子３６を押圧する。これにより開錠を電気信号として検知し、ＣＰＵ（不図示）による制御でブザーを鳴動させ、施錠忘れを警報させる等の処理をしていた。
【特許文献１】特開２００３−７４２２７号公報
【発明の開示】
【発明が解決しようとする課題】
【０００３】
しかしながら、前記従来の鍵付扉装置では、電気的手段によって警報を発する構成のため、停電や電池切れなどの状態では目的を達成できないという課題を有していた。
このような課題に鑑み本発明は、電気的な警報装置を備えることなく、扉錠等の施錠忘れを防止できる鍵付扉装置を提供することを目的とする。
【課題を解決するための手段】
【０００４】
前記従来の課題を解決するために本発明の錠付扉装置は、裏面に設けられた扉突起を備えた扉と、前記扉が設置される開口部を設けたパネルと、前記パネルに設けられ、回転軸を有し、鍵を挿入して回転させることにより前記回転軸を扉の開位置および扉の閉位置の間で回転させることができ、扉の閉位置でのみ前記鍵を挿抜できる錠と、前記錠の回転軸に設けられ前記回転軸に連動して扉の開位置および扉の閉位置の間で回転するカムと、揺動突起を有し、第１の位置および第２の位置の間で揺動し、前記扉が閉じたときは前記扉突起に当接して前記第１の位置に移動し、前記扉が開いたときは前記第２の位置に移動する揺動片とを備え、前記揺動片が前記第１の位置にあるときは前記揺動突起と前記カムに設けられた突起とは当接せず、前記揺動片が前記第２の位置にあるときは前記揺動突起と前記突起とが当接することにより前記カムの回転が抑止され前記錠の回転が扉の開位置で拘束される構成としたものである。
【発明の効果】
【０００５】
本発明の錠付扉装置によれば、扉の開閉と錠の回転が連携し、扉開状態では錠が回転拘束されて錠から鍵を抜くことができなくなり、施錠忘れを防止することができる。
【発明を実施するための最良の形態】
【０００６】
本発明は、錠付扉装置に関する発明である。さらに具体的に用途の一例をあげて説明すると、例えばパトロールカー等の特殊車輌に搭載する映像装置用のメモリーカード記録機に使用してメモリーカード等の盗難を防止するための錠付扉装置の構造に関するものである。もちろん、本発明はかかる用途だけに限定されないことは言うまでも無い。
【０００７】
以下本発明を実施するための最良の形態について、図面を参照しながら説明する。
図１は、本発明をメモリーカード記録機のカード盗難防止用扉に応用した一実施の形態における錠付扉装置の分解斜視図である。図１において、メモリーカード記録機のパネル１（以下、パネルと略す）には開口部１−３が設けられている。開口部１−３の中にはメモリーカードを挿入する上下２段のスロット１−４が設けられており、メモリーカードをこのスロット１−４に挿入することで、メモリーカードへの記録再生を行う。また、メモリーカードの盗難防止のため、開口部１−３には扉４が設けられ、この扉４は施錠できるようになっている。扉４は、パネル１の開口部に扉軸５で回動可能となるように設置される。
【０００８】
開口部１−３の上端には溝１−１が設けられている。溝１−１の背面側には棒状の移動片２が配置されている。移動片２には、略Ｃ形の一対の爪受け２−１が形成され、この一対の爪受け２−１が、前記溝１−１に嵌まり込んでいる。移動片２は所定の範囲内で左右にスライド移動することが可能である。移動片２は、コイルばね３で図１の正面視左方向に付勢されている。扉裏面の上端には一対のロック爪４−１が背面側に突出して設けられ、扉４を閉じた際にロック爪４−１が溝１−１に嵌まり込んで、移動片２の爪受け２−１に係止して、扉４が閉まった状態となり扉４の回動が拘束される。
【０００９】
所定の回動位置でのみ鍵１３を挿抜できる錠６（以下錠と略し、公知技術のため構造説明も略す）は、そのねじ部６−１がパネル１の開口部左側に設けられた錠孔１−２に挿入され、その回転軸（不図示）がパネル１と垂直方向となるように裏面からナット（不図示）で固定されている。錠６の回転軸にはカム７がビス８で固定されている。カム７は、板体であって、後述する揺動突起９−１が当接する突起７−１と、移動片２の端部をプッシュする押圧部７−２が外周に形成されている。錠６は回転軸を有しており、鍵１３を挿入して回転させることによりその回転軸（とそれに連動するカム７）を扉４を開けた状態の扉の開位置および扉を閉めて施錠した状態での扉の閉位置の間で回転させることができる。図１において左方向に付勢された移動片２の左側の端面は、カム７の押圧部７−２に当接している。
【００１０】
揺動軸１１は、パネル１裏面の開口部１−３と錠穴１−２との間に上下方向に配置され、パネル１裏面に固定された金具１０の軸穴１０−１に軸支されている。揺動片９および揺動突起９−１は、揺動軸１１と一体に構成されている。金具１０は中央部がＵ字形に折れ曲がり、両端部１０−２がビス１５でパネル１の裏面に固定されている。図１に示すように一対の軸穴１０−１はＵ字形に折れ曲がった金具１０の端部に、対向するように形成され、揺動軸１１を垂直に軸支できるように形成されている。
【００１１】
揺動片９および揺動突起９−１は揺動軸１１を中心に、後述する第１の位置〔図５（ａ）と第２の位置〔図５（ｂ）〕との間で前後方向（錠６の回転軸方向）に揺動する。揺動片９は、揺動することにより扉裏面に設けられた扉突起４−２に当接するようになっている。揺動突起９−１は、揺動することによりカム７に設けられている突起７−１に当接するようになっている。揺動片９および揺動突起９−１は、ねじりばね１２で右回転（時計回り）方向に付勢され、他の拘束がない状態ではこのねじりばね１２の付勢力により第２の位置に静止するよう構成している。
【００１２】
以上のように構成した実施の形態における錠付扉装置の動作を図２〜図４、図５（ａ），（ｂ）を用い説明する。
まず、初期状態として、扉の閉状態について説明する。図２は、扉の閉状態における揺動片９の動作を示す部分断面図、図５（ａ）は扉の閉状態の背面側の要部斜視図である。扉４が閉まった状態では、ねじりばね１２の付勢力に抗して扉突起４−２が揺動片９を扉４から離れる方向に押圧しており、これにより、揺動片９は揺動軸１１を中心に回転して第１の位置にて静止している。揺動片９のうち、扉突起４−２に当接している側とは異なる端部の背面には揺動突起９−１が設けられている。揺動片９が第１の位置にある状態では、揺動突起９−１はカム７にある突起７−１の回転軌道からパネル１の背面側に退いている（当接しない）ため、カム７は揺動突起９−１に対しては自由に回転可能な状態となる。一方、カム７はコイルばね３に付勢された移動片２の端部により図２において時計回りに押圧されるため、その結果、カム７と連動した錠６は鍵１３を自由に抜き差しできる位置（扉閉位置）まで回転した状態となっている。ただし、図５（ａ）は、錠６が扉閉位置になる前の状態を図示している。
【００１３】
次に、鍵で扉を開けるときの動作について説明する。図３は鍵１３の回転と扉４の開閉関連動作を示す部分断面図である。図３で鍵１３を錠６に挿入して半円形状の矢印方向に扉開位置まで回転させると、錠６の回転軸に固定されたカム７はコイルばね３の付勢力に抗して移動片２の端部を押圧する。押された移動片２は右方向に移動し、移動片２の爪受け２−１と扉４のロック爪４−１の係止が外れることで、扉４が開く。移動片２は、カム７に押されて右方向に移動した状態で停止している。
【００１４】
図４は扉開状態における揺動片９の動作を示す部分断面図、図５（ｂ）は扉開状態の背面側の要部斜視図である。扉４が開くと扉突起４−２は扉軸５を回動中心として図４の矢印方向に回動後退する。揺動片９は、扉の閉状態ではねじりばね１２によって扉突起４−２の方向に付勢されて扉突起４−２に当接し、第１の位置で静止している。しかし、扉４が開くと、扉突起４−２の後退に同期して揺動軸１１を中心に、時計回りに回転し第２の位置で静止する。扉４が開くことにより揺動片９が第２の位置まで揺動すると、揺動突起９−１がカム７にある突起７−１の回転軌道内に移動するので、カム７は、扉開位置のままでその回転を抑制される。
【００１５】
以上のような動作により、扉４が開くと錠６の回転が扉の開位置で拘束され、その結果、扉開状態では鍵１３を錠６から抜くことができなくなる。すなわち、扉４を開けた状態では常に鍵１３が錠６に差し込まれた状態となる。
【００１６】
次に、再び扉４を閉めるときの動作について説明する。扉４を閉めると、扉突起４−２が揺動片９を背面側から押圧する。揺動片９は扉突起４−２に押されることにより揺動軸１１を中心に第１の位置まで回転するので、揺動突起９−１はカム７にある突起７−１の回転軌道内から外れて、揺動突起９−１と突起７−１との係止が外れ、カム７が自由に回転できるようになる。その結果、カム７の押圧部７−２により移動を妨げられていた移動片２はコイルばね３の左方向への付勢力によって左方向に移動し、カム７は移動片２の端部によって押されて扉の閉位置まで回転する。
【００１７】
さらに、扉４を閉めると、左方向に移動した移動片２の爪受け２−１と扉４のロック爪４−１の傾斜部とが圧接し、ロック爪４−１が移動片２を右方向に移動させ、コイルばね３の付勢で蓋４を係止させるが、この部分は公知の技術であるので詳細な説明は略す。
【００１８】
以上のような動作により、扉４が閉まると錠６は扉閉位置まで回転して施錠された状態になると共に、鍵１３を錠６から抜くことができる。
かかる構成によれば、扉が開くと錠６の回転が扉開位置で拘束され、その結果、扉開状態では鍵１３を錠６から抜くことができなくなる。すなわち、扉４を開けた状態では常に鍵１３が錠６に刺さった状態となる。そして、扉が閉まると錠６は扉閉位置まで回転して施錠された状態になると共に、鍵１３を錠６から抜くことができる。そのため、扉４を開けた状態で鍵１３をしまったり、どこかに置き忘れてしまって扉を施錠し忘れるということがなくなる。また、扉の閉状態でないと錠６から鍵１３を抜くことができなくなるため、施錠忘れを防止することができる。
【００１９】
なお、本実施の形態において、扉４とロック爪４−１および扉突起４−２は一体形成としたが、ロック爪４−１および扉突起４−２は扉に係止する別部品としても良い。
【産業上の利用可能性】
【００２０】
本発明にかかる錠付扉装置は、電気的な警報装置を備えることなく、少ない部品と簡単な構成で扉閉状態でのみ、錠から鍵を抜くことが可能になるので、扉錠などの施錠忘れ防止として有用である。
【図面の簡単な説明】
【００２１】
【図１】本発明の実施の形態における錠付扉装置の分解斜視図である。
【図２】本発明の実施の形態における錠付扉装置の扉閉状態における揺動片の動作を示す部分断面図である。
【図３】本発明の実施の形態における錠付扉装置の鍵と扉の開閉関連動作を示す部分断面図である。
【図４】本発明の実施の形態における錠付扉装置の扉開状態における揺動片の動作を示す部分断面図である。
【図５】揺動片の動作を説明するための斜視図である。
【図６】従来の錠付扉装置の検出部構成図である。
【符号の説明】
【００２２】
１  ・・・パネル
４  ・・・扉
４−２・・・扉突起
６  ・・・錠
７  ・・・カム  
７−１・・・突起
９  ・・・揺動片
９−１・・・揺動突起
１３  ・・・鍵
【図１】
2006125184.tif 000003
【図２】
2006125184.tif 000004
【図３】
2006125184.tif 000005
【図４】
2006125184.tif 000006
【図５】
2006125184.tif 000007
【図６】
2006125184.tif 000008